(57)【要約】【課題】  ディスク状記録媒体のイジェクトを円滑に行うようにする。【解決手段】  本体２１とラックギヤ２２を有するスライダー２０を駆動モーター１５によってローディング時に第２の方向へ移動させイジェクト時に第１の方向へ移動させ、スライダーに、ラックギヤを本体に対してロックするロック位置とラックギヤの本体に対するロックを解除し本体をラックギヤに対して第１の方向及び第２の方向へ移動可能とするロック解除位置との間で本体に対して移動されるロックプレート３１と、本体に対して第１の方向及び第２の方向へ移動され第１の方向へ移動されたときにロックプレートをロック位置からロック解除位置に移動させロックプレートがロック解除位置に移動されたときに本体を押圧して第１の方向へ移動させるスライドプレート３５とを設けた。【選択図】        図３５
2011060343.tif 000002
【特許請求の範囲】
【請求項１】
ディスク状記録媒体の挿入及び排出が行われるディスク挿脱口を有する外筐と、
前記ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスク状記録媒体の記録面に離接する方向へ移動可能とされたディスク駆動ユニットと、
本体とラックギヤを有すると共に前記ディスク挿脱口に対する前記ディスク状記録媒体の挿入方向と同じ第１の方向及び排出方向と同じ第２の方向へ移動可能とされ前記ディスク状記録媒体のローディング時に前記第２の方向へ移動され前記ディスク状記録媒体のイジェクト時に前記第１の方向へ移動されるスライダーと、
前記スライダーを前記第１の方向及び前記第２の方向へ移動させる駆動源として機能する駆動モーターと、
前記駆動モーターの駆動力が伝達されると共に前記スライダーのラックギヤに噛合された減速ギヤ群と、
回動可能とされ一方の回動方向へ回動されて前記ディスク状記録媒体のイジェクト時に前記ディスク状記録媒体を押圧して前記ディスク挿脱口から排出するイジェクトレバーと、
前記駆動モーターの駆動力が前記スライダーを介して伝達されて移動可能とされると共に前記イジェクトレバーに連結されたリンク部材とを備え、
前記スライダーに、前記本体に移動自在に支持されると共に前記ラックギヤを前記本体に対してロックするロック位置と前記ラックギヤの前記本体に対するロックを解除し前記本体を前記ラックギヤに対して前記第１の方向及び前記第２の方向へ移動可能とするロック解除位置との間で移動されるロックプレートを設け、
前記スライダーに、前記本体に前記第１の方向及び前記第２の方向へ移動自在に支持されると共に前記第１の方向へ押圧される被押圧部と該被押圧部が押圧されて前記第１の方向へ移動されたときに前記ロックプレートを前記ロック位置から前記ロック解除位置に移動させるロック解除部と前記ロックプレートが前記ロック解除位置に移動されたときに前記本体を押圧して前記第１の方向へ移動させる押圧部とを有するスライドプレートを設けた
ディスクドライブ装置。
【請求項２】
前記スライダーに前記ロックプレートを前記ロック解除位置から前記ロック位置へ向けて付勢するバネ部材を配置した
請求項１に記載のディスクドライブ装置。
【請求項３】
前記本体に被案内部を設け、
前記ラックギヤに前記被案内部が摺動自在に支持され前記本体を前記第１の方向及び前記第２の方向へ案内する案内部を設けた
請求項１に記載のディスクドライブ装置。
【請求項４】
前記リンク部材を所定の直線方向へスライド自在に支持すると共に前記イジェクトレバーを回動自在に支持するシャーシを設け、
前記リンク部材に摺動部を設け、
前記スライダーに前記リンク部材の摺動部が摺動自在に係合され前記リンク部材を前記所定の直線方向へスライドさせるカム部を設けた
請求項１に記載のディスクドライブ装置。
【請求項５】
前記リンク部材の摺動部として摺動ピンを設け、
前記スライダーのカム部として所定の方向を向くカム面を形成し、
前記スライダーが前記第１の方向へ移動されたときに前記カム面によって前記摺動ピンが押圧されて摺動され前記リンク部材が前記シャーシに対して前記所定の直線方向へスライドされるようにした
請求項４に記載のディスクドライブ装置。
【請求項６】
前記ローディング時及びイジェクト時に前記ディスク状記録媒体の外周面が摺接され前記ディスク状記録媒体を案内するガイド部と、
前記ディスク状記録媒体のローディング時に前記ディスク状記録媒体の中心が前記ディスクテーブルの中心に一致するように前記ディスク状記録媒体の外周面を保持してセンターリングするセンターリング部とを設け、
前記ガイド部と前記センターリング部を一体に形成した
請求項１に記載のディスクドライブ装置。
【請求項７】
前記ガイド部とセンターリング部を樹脂材料によって形成し、
前記ガイド部を前記外筐に固定し、
前記センターリング部を前記ガイド部に対して弾性変形可能とし、
前記ローディング時に前記ディスク状記録媒体が前記ディスクテーブルに装着されたときに前記センターリング部を前記ガイド部に対して弾性変形させて前記センターリング部を前記ディスク状記録媒体の外周面から離隔するようにした
請求項６に記載のディスクドライブ装置。
【請求項８】
機器本体と該機器本体に組み付けられディスク状記録媒体に対して情報信号の記録若しくは再生又はこれらの双方を行うディスクドライブ装置とを備え、
前記ディスクドライブ装置が、
ディスク状記録媒体の挿入及び排出が行われるディスク挿脱口を有する外筐と、
前記ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスク状記録媒体の記録面に離接する方向へ移動可能とされたディスク駆動ユニットと、
本体とラックギヤを有すると共に前記ディスク挿脱口に対する前記ディスク状記録媒体の挿入方向と同じ第１の方向及び排出方向と同じ第２の方向へ移動可能とされ前記ディスク状記録媒体のローディング時に前記第２の方向へ移動され前記ディスク状記録媒体のイジェクト時に前記第１の方向へ移動されるスライダーと、
前記スライダーを前記第１の方向及び前記第２の方向へ移動させる駆動源として機能する駆動モーターと、
前記駆動モーターの駆動力が伝達されると共に前記スライダーのラックギヤに噛合された減速ギヤ群と、
回動可能とされ一方の回動方向へ回動されて前記ディスク状記録媒体のイジェクト時に前記ディスク状記録媒体を押圧して前記ディスク挿脱口から排出するイジェクトレバーと、
前記駆動モーターの駆動力が前記スライダーを介して伝達されて移動可能とされると共に前記イジェクトレバーに連結されたリンク部材とを備え、
前記スライダーに、前記本体に移動自在に支持されると共に前記ラックギヤを前記本体に対してロックするロック位置と前記ラックギヤの前記本体に対するロックを解除し前記本体を前記ラックギヤに対して前記第１の方向及び前記第２の方向へ移動可能とするロック解除位置との間で移動されるロックプレートを設け、
前記スライダーに、前記本体に前記第１の方向及び前記第２の方向へ移動自在に支持されると共に前記第１の方向へ押圧される被押圧部と該被押圧部が押圧されて前記第１の方向へ移動されたときに前記ロックプレートを前記ロック位置から前記ロック解除位置に移動させるロック解除部と前記ロックプレートが前記ロック解除位置に移動されたときに前記本体を押圧して前記第１の方向へ移動させる押圧部とを有するスライドプレートを設けた
電子機器。
【発明の詳細な説明】
【技術分野】
【０００１】
本発明はディスクドライブ装置及び電子機器についての技術分野に関する。詳しくは、イジェクト動作を行うスライダーにラックギヤのロック状態を解除するロックプレートとスライドプレートを設けてディスク状記録媒体のイジェクトを円滑に行うようにする技術分野に関する。
【背景技術】
【０００２】
パーソナルコンピューターや音響機器等の各種の電子機器には、ＣＤ（Compact Disc）やＤＶＤ（Digital Versatile Disc）等のディスク状記録媒体に対して情報信号の記録若しくは再生又はこれらの双方を行うディスクドライブ装置が設けられているものがある。
【０００３】
ディスクドライブ装置には、駆動モーターによって前後方向へ移動されるスライダーが設けられ、該スライダーが前後方向へ移動されることにより、その移動方向に応じてディスク状記録媒体のローディング動作とイジェクト動作が行われるようにされているものがある。
【０００４】
このようなディスクドライブ装置にあっては、駆動モーターのモーター軸にウォームが固定され、スライダーにラックギヤが設けられ、ウォームとラックギヤがそれぞれ減速ギヤ群の各ギヤと噛合されている。従って、駆動モーターの駆動力が順にウォーム、減速ギヤ群及びラックギヤに伝達されてスライダーが減速されて前後方向へ移動される。
【０００５】
上記のような駆動モーターを有するディスクドライブ装置にあっては、例えば、駆動モーターに電力を供給する回路の故障等によって駆動モーターが動作しなくなった場合に、ディスク状記録媒体を強制的にイジェクトする強制イジェクト機構が設けられている（例えば、特許文献１参照）。
【０００６】
特許文献１に記載されたディスクドライブ装置に設けられた強制イジェクト機構にあっては、イジェクト用のピンによって減速ギヤ群の一つのギヤが支持された回転板を押圧して回転させるようにしている。回転板が回転されると、減速ギヤ群のうちの二つのギヤ同士の噛合が解除され、イジェクト用のピンによってスライダーが押圧されて移動され強制的なイジェクト動作が行われる。
【０００７】
【特許文献１】特許４２９８７５８号公報
【発明の開示】
【発明が解決しようとする課題】
【０００８】
ところが、特許文献１に記載されたディスクドライブ装置にあっては、減速ギヤ群のうちの二つのギヤ同士の噛合を解除しているため、強制的なイジェクト動作を行う状態において、スライダーのラックギヤに減速ギヤ群の少なくとも一つのギヤが噛合されている。
【０００９】
従って、ラックギヤと減速ギヤ群のギヤとが噛合された状態でスライダーをイジェクト用のピンによって押圧しなければならず、その分、イジェクト用のピンによる押圧に対する負荷が大きく、イジェクト動作の円滑化に支障を来たしてしまう。
【００１０】
また、イジェクト用のピンによって回転板を押圧して減速ギヤ群のうちの二つのギヤ同士の噛合を解除するときに、回転板に支持されたギヤをこれに噛合されているギヤに対して回転させて噛合を解除しなければならず、やはり、イジェクト用のピンによる押圧に対する負荷が大きい。
【００１１】
そこで、本発明ディスクドライブ装置及び電子機器は、上記した問題点を克服し、ディスク状記録媒体のイジェクトを円滑に行うようにすることを課題とする。
【課題を解決するための手段】
【００１２】
ディスクドライブ装置は、上記した課題を解決するために、ディスク状記録媒体の挿入及び排出が行われるディスク挿脱口を有する外筐と、前記ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスク状記録媒体の記録面に離接する方向へ移動可能とされたディスク駆動ユニットと、本体とラックギヤを有すると共に前記ディスク挿脱口に対する前記ディスク状記録媒体の挿入方向と同じ第１の方向及び排出方向と同じ第２の方向へ移動可能とされ前記ディスク状記録媒体のローディング時に前記第２の方向へ移動され前記ディスク状記録媒体のイジェクト時に前記第１の方向へ移動されるスライダーと、前記スライダーを前記第１の方向及び前記第２の方向へ移動させる駆動源として機能する駆動モーターと、前記駆動モーターの駆動力が伝達されると共に前記スライダーのラックギヤに噛合された減速ギヤ群と、回動可能とされ一方の回動方向へ回動されて前記ディスク状記録媒体のイジェクト時に前記ディスク状記録媒体を押圧して前記ディスク挿脱口から排出するイジェクトレバーと、前記駆動モーターの駆動力が前記スライダーを介して伝達されて移動可能とされると共に前記イジェクトレバーに連結されたリンク部材とを備え、前記スライダーに、前記本体に移動自在に支持されると共に前記ラックギヤを前記本体に対してロックするロック位置と前記ラックギヤの前記本体に対するロックを解除し前記本体を前記ラックギヤに対して前記第１の方向及び前記第２の方向へ移動可能とするロック解除位置との間で移動されるロックプレートを設け、前記スライダーに、前記本体に前記第１の方向及び前記第２の方向へ移動自在に支持されると共に前記第１の方向へ押圧される被押圧部と該被押圧部が押圧されて前記第１の方向へ移動されたときに前記ロックプレートを前記ロック位置から前記ロック解除位置に移動させるロック解除部と前記ロックプレートが前記ロック解除位置に移動されたときに前記本体を押圧して前記第１の方向へ移動させる押圧部とを有するスライドプレートを設けたものである。
【００１３】
従って、ディスクドライブ装置にあっては、ロックプレートがロック位置からロック解除位置に移動されたときにラックギヤの本体に対するロックが解除され本体がラックギヤに対して第１の方向及び第２の方向へ移動可能とされる。
【００１４】
上記したディスクドライブ装置において、前記スライダーに前記ロックプレートを前記ロック解除位置から前記ロック位置へ向けて付勢するバネ部材を配置することが望ましい。
【００１５】
ロックプレートをロック解除位置からロック位置へ向けて付勢するバネ部材を配置することにより、バネ部材によってロックプレートがロック位置へ向けて付勢される。
【００１６】
上記したディスクドライブ装置において、前記本体に被案内部を設け、前記ラックギヤに前記被案内部が摺動自在に支持され前記本体を前記第１の方向及び前記第２の方向へ案内する案内部を設けることが望ましい。
【００１７】
本体に被案内部を設け、ラックギヤに本体を第１の方向及び第２の方向へ案内する案内部を設けることにより、本体がラックギヤに対して移動されるときに被案内部が案内部に案内され、本体からラックギヤが脱落しない。
【００１８】
上記したディスクドライブ装置において、前記リンク部材を所定の直線方向へスライド自在に支持すると共に前記イジェクトレバーを回動自在に支持するシャーシを設け、前記リンク部材に摺動部を設け、前記スライダーに前記リンク部材の摺動部が摺動自在に係合され前記リンク部材を前記所定の直線方向へスライドさせるカム部を設けることが望ましい。
【００１９】
リンク部材に摺動部を設け、スライダーにリンク部材の摺動部が摺動自在に係合されリンク部材をスライドさせるカム部を設けることにより、スライダーの移動力をリンク部材に付与するためのスライダーとリンク部材を連結するリンク機構を必要としない。
【００２０】
上記したディスクドライブ装置において、前記リンク部材の摺動部として摺動ピンを設け、前記スライダーのカム部として所定の方向を向くカム面を形成し、前記スライダーが前記第１の方向へ移動されたときに前記カム面によって前記摺動ピンが押圧されて摺動され前記リンク部材が前記シャーシに対して前記所定の直線方向へスライドされるようにすることが望ましい。
【００２１】
リンク部材の摺動部として摺動ピンを設け、スライダーのカム部として所定の方向を向くカム面を形成することにより、スライダーの移動力がカム部から摺動ピンに伝達されてリンク部材に付与される。
【００２２】
上記したディスクドライブ装置において、前記ローディング時及びイジェクト時に前記ディスク状記録媒体の外周面が摺接され前記ディスク状記録媒体を案内するガイド部と、前記ディスク状記録媒体のローディング時に前記ディスク状記録媒体の中心が前記ディスクテーブルの中心に一致するように前記ディスク状記録媒体の外周面を保持してセンターリングするセンターリング部とを設け、前記ガイド部と前記センターリング部を一体に形成することが望ましい。
【００２３】
ディスク状記録媒体を案内するガイド部とディスク状記録媒体の外周面を保持してセンターリングするセンターリング部とを設けて一体に形成することにより、ディスク状記録媒体の外周面がガイド部及びセンターリング部を連続して摺接される。
【００２４】
上記したディスクドライブ装置において、前記ガイド部とセンターリング部を樹脂材料によって形成し、前記ガイド部を前記外筐に固定し、前記センターリング部を前記ガイド部に対して弾性変形可能とし、前記ローディング時に前記ディスク状記録媒体が前記ディスクテーブルに装着されたときに前記センターリング部を前記ガイド部に対して弾性変形させて前記センターリング部を前記ディスク状記録媒体の外周面から離隔するようにすることが望ましい。
【００２５】
ディスク状記録媒体がディスクテーブルに装着されたときにセンターリング部をガイド部に対して弾性変形させてセンターリング部をディスク状記録媒体の外周面から離隔することにより、センターリングに関する構造及び動作が単純化される。
【００２６】
電子機器は、上記した課題を解決するために、機器本体と該機器本体に組み付けられディスク状記録媒体に対して情報信号の記録若しくは再生又はこれらの双方を行うディスクドライブ装置とを備え、前記ディスクドライブ装置が、ディスク状記録媒体の挿入及び排出が行われるディスク挿脱口を有する外筐と、前記ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスク状記録媒体の記録面に離接する方向へ移動可能とされたディスク駆動ユニットと、本体とラックギヤを有すると共に前記ディスク挿脱口に対する前記ディスク状記録媒体の挿入方向と同じ第１の方向及び排出方向と同じ第２の方向へ移動可能とされ前記ディスク状記録媒体のローディング時に前記第２の方向へ移動され前記ディスク状記録媒体のイジェクト時に前記第１の方向へ移動されるスライダーと、前記スライダーを前記第１の方向及び前記第２の方向へ移動させる駆動源として機能する駆動モーターと、前記駆動モーターの駆動力が伝達されると共に前記スライダーのラックギヤに噛合された減速ギヤ群と、回動可能とされ一方の回動方向へ回動されて前記ディスク状記録媒体のイジェクト時に前記ディスク状記録媒体を押圧して前記ディスク挿脱口から排出するイジェクトレバーと、前記駆動モーターの駆動力が前記スライダーを介して伝達されて移動可能とされると共に前記イジェクトレバーに連結されたリンク部材とを備え、前記スライダーに、前記本体に移動自在に支持されると共に前記ラックギヤを前記本体に対してロックするロック位置と前記ラックギヤの前記本体に対するロックを解除し前記本体を前記ラックギヤに対して前記第１の方向及び前記第２の方向へ移動可能とするロック解除位置との間で移動されるロックプレートを設け、前記スライダーに、前記本体に前記第１の方向及び前記第２の方向へ移動自在に支持されると共に前記第１の方向へ押圧される被押圧部と該被押圧部が押圧されて前記第１の方向へ移動されたときに前記ロックプレートを前記ロック位置から前記ロック解除位置に移動させるロック解除部と前記ロックプレートが前記ロック解除位置に移動されたときに前記本体を押圧して前記第１の方向へ移動させる押圧部とを有するスライドプレートを設けたものである。
【００２７】
従って、電子機器にあっては、ロックプレートがロック位置からロック解除位置に移動されたときにラックギヤの本体に対するロックが解除され本体がラックギヤに対して第１の方向及び第２の方向へ移動可能とされる。
【発明の効果】
【００２８】
本発明ディスクドライブ装置は、ディスク状記録媒体の挿入及び排出が行われるディスク挿脱口を有する外筐と、前記ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスク状記録媒体の記録面に離接する方向へ移動可能とされたディスク駆動ユニットと、本体とラックギヤを有すると共に前記ディスク挿脱口に対する前記ディスク状記録媒体の挿入方向と同じ第１の方向及び排出方向と同じ第２の方向へ移動可能とされ前記ディスク状記録媒体のローディング時に前記第２の方向へ移動され前記ディスク状記録媒体のイジェクト時に前記第１の方向へ移動されるスライダーと、前記スライダーを前記第１の方向及び前記第２の方向へ移動させる駆動源として機能する駆動モーターと、前記駆動モーターの駆動力が伝達されると共に前記スライダーのラックギヤに噛合された減速ギヤ群と、回動可能とされ一方の回動方向へ回動されて前記ディスク状記録媒体のイジェクト時に前記ディスク状記録媒体を押圧して前記ディスク挿脱口から排出するイジェクトレバーと、前記駆動モーターの駆動力が前記スライダーを介して伝達されて移動可能とされると共に前記イジェクトレバーに連結されたリンク部材とを備え、前記スライダーに、前記本体に移動自在に支持されると共に前記ラックギヤを前記本体に対してロックするロック位置と前記ラックギヤの前記本体に対するロックを解除し前記本体を前記ラックギヤに対して前記第１の方向及び前記第２の方向へ移動可能とするロック解除位置との間で移動されるロックプレートを設け、前記スライダーに、前記本体に前記第１の方向及び前記第２の方向へ移動自在に支持されると共に前記第１の方向へ押圧される被押圧部と該被押圧部が押圧されて前記第１の方向へ移動されたときに前記ロックプレートを前記ロック位置から前記ロック解除位置に移動させるロック解除部と前記ロックプレートが前記ロック解除位置に移動されたときに前記本体を押圧して前記第１の方向へ移動させる押圧部とを有するスライドプレートを設けている。
【００２９】
従って、ロックプレートがロック解除位置に移動されたときに第１の方向へ移動されるスライドプレートに対してラックギヤから負荷が付与されることがなく、スライドプレートに対する負荷が小さく、イジェクト動作の円滑化を図ることができる。
【００３０】
請求項２に記載した発明にあっては、前記スライダーに前記ロックプレートを前記ロック解除位置から前記ロック位置へ向けて付勢するバネ部材を配置している。
【００３１】
従って、バネ部材によってロックプレートがロック位置へ向けて付勢されているため、ラックギヤの本体に対するロック状態の安定化を図ることができる。
【００３２】
請求項３に記載した発明にあっては、前記本体に被案内部を設け、前記ラックギヤに前記被案内部が摺動自在に支持され前記本体を前記第１の方向及び前記第２の方向へ案内する案内部を設けている。
【００３３】
従って、ラックギヤの本体に対するロックが解除され本体がラックギヤに対して移動された後に、ロックプレートによって再びラックギヤを本体に円滑かつ確実にロックすることができる。
【００３４】
請求項４に記載した発明にあっては、前記リンク部材を所定の直線方向へスライド自在に支持すると共に前記イジェクトレバーを回動自在に支持するシャーシを設け、前記リンク部材に摺動部を設け、前記スライダーに前記リンク部材の摺動部が摺動自在に係合され前記リンク部材を前記所定の直線方向へスライドさせるカム部を設けている。
【００３５】
従って、スライダーの移動力をリンク部材に付与するためのスライダーとリンク部材を連結するリンク機構を必要とせず、その分、機構の簡素化を図ることができる。
【００３６】
請求項５に記載した発明にあっては、前記リンク部材の摺動部として摺動ピンを設け、前記スライダーのカム部として所定の方向を向くカム面を形成し、前記スライダーが前記第１の方向へ移動されたときに前記カム面によって前記摺動ピンが押圧されて摺動され前記リンク部材が前記シャーシに対して前記所定の直線方向へスライドされるようにしている。
【００３７】
従って、リンク部材に対するスライダーの移動力を付与する付与構造が簡素であり、ディスクドライブ装置の機構の簡素化を図ることができる。
【００３８】
請求項６に記載した発明にあっては、前記ローディング時及びイジェクト時に前記ディスク状記録媒体の外周面が摺接され前記ディスク状記録媒体を案内するガイド部と、前記ディスク状記録媒体のローディング時に前記ディスク状記録媒体の中心が前記ディスクテーブルの中心に一致するように前記ディスク状記録媒体の外周面を保持してセンターリングするセンターリング部とを設け、前記ガイド部と前記センターリング部を一体に形成している。
【００３９】
従って、ディスク状記録媒体の外周面がガイド部及びセンターリング部に円滑に摺接され、ディスク状記録媒体のローディング動作及びイジェクト動作を円滑に行うことができると共にディスク状記録媒体の傷付きを防止することができる。
【００４０】
請求項７に記載した発明にあっては、前記ガイド部とセンターリング部を樹脂材料によって形成し、前記ガイド部を前記外筐に固定し、前記センターリング部を前記ガイド部に対して弾性変形可能とし、前記ローディング時に前記ディスク状記録媒体が前記ディスクテーブルに装着されたときに前記センターリング部を前記ガイド部に対して弾性変形させて前記センターリング部を前記ディスク状記録媒体の外周面から離隔するようにしている。
【００４１】
従って、センターリングに関する構造及び動作が単純であり、機構の簡素化を図ることができる。
【００４２】
本発明電子機器は、機器本体と該機器本体に組み付けられディスク状記録媒体に対して情報信号の記録若しくは再生又はこれらの双方を行うディスクドライブ装置とを備え、前記ディスクドライブ装置が、ディスク状記録媒体の挿入及び排出が行われるディスク挿脱口を有する外筐と、前記ディスク状記録媒体が装着されるディスクテーブルと該ディスクテーブルを回転させるスピンドルモーターと前記ディスクテーブルに装着された前記ディスク状記録媒体の半径方向へ移動される光ピックアップと該光ピックアップを前記ディスク状記録媒体の半径方向へ移動自在に支持するピックアップベースとを有すると共に前記ディスク状記録媒体の記録面に離接する方向へ移動可能とされたディスク駆動ユニットと、本体とラックギヤを有すると共に前記ディスク挿脱口に対する前記ディスク状記録媒体の挿入方向と同じ第１の方向及び排出方向と同じ第２の方向へ移動可能とされ前記ディスク状記録媒体のローディング時に前記第２の方向へ移動され前記ディスク状記録媒体のイジェクト時に前記第１の方向へ移動されるスライダーと、前記スライダーを前記第１の方向及び前記第２の方向へ移動させる駆動源として機能する駆動モーターと、前記駆動モーターの駆動力が伝達されると共に前記スライダーのラックギヤに噛合された減速ギヤ群と、回動可能とされ一方の回動方向へ回動されて前記ディスク状記録媒体のイジェクト時に前記ディスク状記録媒体を押圧して前記ディスク挿脱口から排出するイジェクトレバーと、前記駆動モーターの駆動力が前記スライダーを介して伝達されて移動可能とされると共に前記イジェクトレバーに連結されたリンク部材とを備え、前記スライダーに、前記本体に移動自在に支持されると共に前記ラックギヤを前記本体に対してロックするロック位置と前記ラックギヤの前記本体に対するロックを解除し前記本体を前記ラックギヤに対して前記第１の方向及び前記第２の方向へ移動可能とするロック解除位置との間で移動されるロックプレートを設け、前記スライダーに、前記本体に前記第１の方向及び前記第２の方向へ移動自在に支持されると共に前記第１の方向へ押圧される被押圧部と該被押圧部が押圧されて前記第１の方向へ移動されたときに前記ロックプレートを前記ロック位置から前記ロック解除位置に移動させるロック解除部と前記ロックプレートが前記ロック解除位置に移動されたときに前記本体を押圧して前記第１の方向へ移動させる押圧部とを有するスライドプレートを設けている。
【００４３】
従って、ロックプレートがロック解除位置に移動されたときに第１の方向へ移動されるスライドプレートに対してラックギヤから負荷が付与されることがなく、スライドプレートに対する負荷が小さく、イジェクト動作の円滑化を図ることができる。
【発明を実施するための最良の形態】
【００４４】
以下に、本発明ディスクドライブ装置及び電子機器の最良の形態を添付図面に従って説明する。以下に示した最良の形態は、本発明電子機器をパーソナルコンピューターに適用し、本発明ディスクドライブ装置をこのパーソナルコンピューターに備えられたディスクドライブ装置に適用したものである。
【００４５】
尚、本発明電子機器及びディスクドライブ装置の適用範囲は、パーソナルコンピューター及びこれに備えられたディスクドライブ装置に限られることはない。本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができる。また、本発明ディスクドライブ装置は、これらの各種の電子機器において扱われるディスク状記録媒体について情報信号の記録若しくは再生又はこれらの双方を行うディスクドライブ装置に広く適用することができる。
【００４６】
電子機器（パーソナルコンピューター）１は、例えば、機器本体２と該機器本体２に回動自在に支持されたディスプレイ装置３とを備え、機器本体２に所要の操作キーが配置されたキーボード４が設けられている（図１参照）。尚、電子機器１は、例えば、機器本体とキーボードが別体で設けられた所謂デスクトップ型の機器であってもよい。
【００４７】
機器本体２にはディスクドライブ装置５が組み付けられて内蔵されている。尚、以下のディスクドライブ装置５の説明においては、説明の便宜上、後述するディスク挿脱口側を前方としディスク挿脱口に対するディスク状記録媒体の挿入方向を後方とし、使用者がディスク挿脱口にディスク状記録媒体１００を挿入する状態において、上下前後左右の向きを規定する。即ち、図１及び図２に示すＦ方向が前方となり、Ｒ方向が後方となる。
【００４８】
ディスクドライブ装置５は扁平な略矩形状に形成され、外筐６内に所要の各部が配置されて成る（図２参照）。外筐６は一部を除き上方及び前方に開口され浅い箱状に形成されたケース体７と該ケース体７を上方から閉塞するカバー体８とケース体７の前端に取り付けられたフロントパネル９とから成る。
【００４９】
カバー体８の中央部には上下に貫通された挿入孔８ａが形成されている。
【００５０】
フロントパネル９にはディスク挿脱口９ａが形成され、該ディスク挿脱口９ａはディスク状記録媒体１００の形状に対応して横長の形状に形成されている。フロントパネル９には前後に貫通されたピン挿通孔９ｂが形成されている。フロントパネル９にはイジェクト釦９ｃが配置されている。
【００５１】
ケース体７の右端部は他の部分より一段高く位置された支持面部１０として設けられ、該支持面部１０以外の部分が上方に開口された配置凹部１１として形成されている（図３乃至図５参照）。
【００５２】
ケース体７の配置凹部１１における底面部には、略中央部に上方へ突出されたリリースピン７ａが設けられ、右端寄りの位置の前端側には上方へ突出されたギヤ支持軸７ｂ、７ｂ、７ｂが設けられている。
【００５３】
ケース体７の配置凹部１１にはシャーシ１２が配置されている。シャーシ１２は、図６に示すように、左右に長い略矩形状に形成された基面部１３と該基面部１３の左端部から前方へ突出された突出面部１４とから成る。
【００５４】
シャーシ１２には、左端部に略円弧状に形成された挿入配置孔１２ａが形成され、基面部１３の左右方向における略中央に略前後に延びるバネ配置孔１２ｂが形成され、基面部１３の右端部に略左右に延びる支持孔１２ｃが形成されている。シャーシ１２の突出面部１４の左端部にはレバー配置孔１２ｄが形成されている。
【００５５】
シャーシ１２には、バネ配置孔１２ｂの後側の開口縁に第１のバネ支持片部１２ｅが設けられている。シャーシ１２には、基面部１３の左右方向における略中央部に下方へ突出された第２のバネ支持片部１２ｆが設けられ、突出面部１４の前端部に下方へ突出された第３のバネ支持片部１２ｇが設けられている。シャーシ１２には、基面部１３の右端部に第４のバネ支持片部１２ｈが設けられている。
【００５６】
ケース体７の配置凹部１１には、その前端部における右端寄りの位置に駆動モーター１５が配置されている。駆動モーター１５のモーター軸にはウォーム１６が固定されている。
【００５７】
駆動モーター１５はモーター保持板１７に取り付けられている。モーター保持板１７にはシャッター１８が略上下方向へ移動自在に支持されている。シャッター１８は図示しないバネによって略下方へ移動される方向へ付勢されている。シャッター１８は前後方向へ移動される後述するスライダーによって略上下方向へ移動されてフロントパネル９のディスク挿脱口９ａを開閉し、スライダーが移動方向における前端部に移動されたときに略上方へ移動されてディスク挿脱口９ａを閉塞する。
【００５８】
駆動モーター１５の近傍の位置には減速ギヤ群１９が配置され、該減速ギヤ群１９は複数のギヤ１９ａ、１９ｂ、１９ｃが順に噛合されて成る。ギヤ１９ａ、１９ｂ、１９ｃはそれぞれケース体７に設けられたギヤ支持部７ｂ、７ｂ、７ｂに支持され、駆動モーター１５に最も近い位置にあるギヤ１９ａがウォーム１６に噛合されている。
【００５９】
ケース体７の配置凹部１１における右端部には、スライダー２０が前後方向へ移動自在に支持されている。スライダー２０は、ディスク状記録媒体１００のローディング時に第２の方向である前方へ移動され、ディスク状記録媒体１００のイジェクト時に第１の方向である後方へ移動される。
【００６０】
スライダー２０は前後方向に長く形成された本体２１と該本体２１の前端部に支持されたラックギヤ２２とを有している（図７及び図８参照）。
【００６１】
本体２１の前端部には前後に延び上方及び前方に開口された支持凹部２３が形成されている。
【００６２】
本体２１には左右に貫通され支持凹部２３に連通された連通孔２１ａが形成されている。連通孔２１ａと支持凹部２３に亘る位置に支持突部２１ｂが設けられている。支持突部２１ｂは上方へ突出され左右に延びるように設けられている。本体２１には支持凹部２３の一部を上方から覆う押さえ部２１ｃ、２１ｃ、２１ｃが設けられている。
【００６３】
本体２１には支持凹部２３の左側の位置に下方へ突出され前後に延びる被案内部２１ｄが設けられている。
【００６４】
本体２１の左側面には、その前後方向における略中央部に左方に開口された支持溝２４が形成されている。支持溝２４は、前後に延びる上側直線部２４ａと、該上側直線部２４ａの後端に連続し後方へ行くに従って下方へ傾斜する斜行部２４ｂと、該斜行部２４ｂの後端に連続し前後に延びる下側直線部２４ｃとから成る。
【００６５】
本体２１の左側面には左方に開口されたガイド溝２５が形成されている。ガイド溝２５は、前後に延びる第１の水平部２５ａと、該第１の水平部２５ａの後端に連続し後方へ行くに従って上方へ傾斜する第１の傾斜部２５ｂと、該第１の傾斜部２５ｂの後端に連続し後方へ行くに従って下方へ傾斜する第２の傾斜部２５ｃと、該第２の傾斜部２５ｃの後端に連続し前後に延びる第２の水平部２５ｄとから成る。第２の水平部２５ｄは第１の水平部２５ａより上方に位置されている。第１の水平部２５ａは支持溝２４の下側に位置されている。
【００６６】
本体２１の上面には支持凹部２３の後側に、上方に開口された軸摺動溝２６が形成されている。軸摺動溝２６は、前後に延びる前側直線部２６ａと、該前側直線部２６ａの後端に連続し後方へ行くに従って左方へ傾斜する前側斜行部２６ｂと、該前側斜行部２６ｂの後端に連続し前後に延びる中側直線部２６ｃと、該中側直線部２６ｃの後端に連続し後方へ行くに従って右方へ傾斜する後側斜行部２６ｄと、該後側斜行部２６ｄの後端に連続し前後に延びる後側直線部２６ｅとから成る。
【００６７】
本体２１の下面における後方側の位置には下方に開口された案内溝２７が形成されている。案内溝２７は、前後に延びる第１の直線部２７ａと、該第１の直線部２７ａの後端に連続し後方へ行くに従って左方へ傾斜する傾斜部２７ｂと、該傾斜部２７ｂの後端に連続し前後に延びる第２の直線部２７ｃとから成る。
【００６８】
本体２１の後端部にはカム部として機能する略後方を向くカム面２８が形成されている。カム面２８は右方へ行くに従って前方へ変位するように傾斜されている。
【００６９】
本体２１の後端部における下端部はスイッチ押圧部２１ｅとして設けられている。
【００７０】
ラックギヤ２２は前後に延びる基体部２９と該基体部２９の左側に設けられたギヤ部３０とが一体に形成されて成る。基体部２９の左端部には前後に延び上方へ突出された壁部２９ａが設けられ、該壁部２９ａに左右に貫通され上方に開口された被ロック凹部２９ｂが形成されている。基体部２９には壁部２９ａの右側に前後に延び上方に開口された案内部２９ｃが形成されている。
【００７１】
ラックギヤ２２は案内部２９ｃに被案内部２１ｄが挿入されて本体２１に支持される。ラックギヤ２２のラック部３０には、減速ギヤ群１９の最もラックギヤ２２に近い位置にあるギヤ１９ｃが噛合される。
【００７２】
スライダー２０は駆動モーター１５の駆動力によってラックギヤ２２のギヤ部３０が送られることにより駆動モーター１５の回転方向に応じて前後方向へ移動される。本体２１は後述するロックプレートによるラックギヤ２２のロックが行われていない状態において、ラックギヤ２２に対して前後方向へ移動可能とされる。
【００７３】
本体２１の支持突部２１ｂにはロックプレート３１が左右方向へスライド自在に支持されている。ロックプレート３１は被支持部３２と該被支持部３２の上端部から左方へ突出されたロック部３３とが一体に形成されて成る。被支持部３２の前端部にはカム摺動面３２ａが形成され、該カム摺動面３２ａは左方へ行くに従って後方へ変位するように傾斜されている。
【００７４】
ロックプレート３１の支持突部３１には左右に延びる図示しない被支持溝が形成され、ロックプレート３１は被支持溝が支持突部２１ｂに支持されて左右方向へスライド可能とされている。
【００７５】
ロックプレート３１は支持突部２１ｂに支持された状態において、ロック部３３が本体２１の連通孔２１ａから左方へ突出可能とされる。ロックプレート３１は左方の移動端であるロック位置と右方の移動端であるロック解除位置との間で移動される。ロック位置においてロックプレート３１は被支持部３２の左側面がラックギヤ２２の壁部２９ａの右側面に接して左方への移動が規制され、ロック解除位置においてロックプレート３１は被支持部３２の右側面が支持凹部２３の側面に接して右方への移動が規制される。
【００７６】
ロックプレート３１は、ロック位置においてロック部３３がラックギヤ２２の基体部２９に形成された被ロック凹部２９ｂに嵌合され、ラックギヤ２２を本体２１に対してロックする。従って、ロック位置においては、駆動モーター１５の駆動力が減速ギヤ群１９からラックギヤ２２に伝達されたときに、本体２１とラックギヤ２２が一体となって前後方向へ移動される。
【００７７】
また、ロックプレート３１は、ロック解除位置においてロック部３３がラックギヤ２２の被ロック凹部２９ｂから引き出され、ラックギヤ２２の本体２１に対するロックを解除する。従って、ロック解除位置において駆動モーター１５が停止されているときには、上記したように、本体２１がラックギヤ２２に対して前後方向へ移動可能な状態とされる。
【００７８】
本体２１の支持凹部２３には、例えば、圧縮コイルバネであるバネ部材３４が配置され、該バネ部材３４はロックプレート３１の被支持部３２と支持凹部２３の右側面との間に支持されている。従って、ロックプレート３１はバネ部材３４によってロック解除位置からロック位置へ向けて付勢され、ロックプレート３１に外力が付与されない状態においてはロックプレート３１によってラックギヤ２２が本体２１にロックされている。
【００７９】
このようにディスクドライブ装置５にあっては、バネ部材３４によってロックプレート３１をロック位置へ向けて付勢しているため、ラックギヤ２２の本体２１に対するロック状態の安定化を図ることができる。
【００８０】
本体２１の支持凹部２３にはスライドプレート３５が前後方向へスライド自在に支持されている。スライドプレート３５は前後に長い略矩形状に形成されている。
【００８１】
スライドプレート３５には、前端部に前方に開口された穴状の被押圧部３５ａが形成され、前端部における左端部に下方へ突出されたロック解除部３５ｂが設けられている。ロック解除部３５ｂは右方へ行くに従って前方へ変位する傾斜面である押圧部３５ｃを有している。スライドプレート３５の上面における後端部には、上方へ突出されたストッパー部３５ｄが設けられている。
【００８２】
スライドプレート３５は支持凹部２３に支持された状態において、支持凹部２３の上端部に前後に離隔して設けられた押さえ部２１ｃ、２１ｃ、２１ｃによって押さえられ、支持凹部２３からの脱落が防止されている。
【００８３】
スライドプレート３５は支持凹部２３に支持された状態において、ロック解除部３５ｂがロックプレート３１のカム摺動面３２ａの前方に位置される。
【００８４】
ロックプレート３１がロック位置にある状態においては、カム摺動面３２ａとスライドプレート３５の押圧部３５ｃとが接し、ロックプレート３１に対するバネ部材３４の付勢力がカム摺動面３２ａを介してスライドプレート３５に付与されている。即ち、カム摺動面３２ａと押圧部３５ｃがともに傾斜面とされているため、ロックプレート３１に対するバネ部材３４の左方への付勢力がカム摺動面３２ａを介してスライドプレート３５に前方への付勢力として付与されている。
【００８５】
従って、スライドプレート３５にはバネ部材３４による前方への付勢力が付与され、スライドプレート３５のストッパー部３５ｄが本体２１における後側の押さえ部２１ｃに押し付けられ、スライドプレート３５の本体２１に対する前方への移動が規制されている。
【００８６】
ケース体７の支持面部１０には回動レバー３６が回動自在に支持されている（図３乃至図５参照）。回動レバー３６には回動支点部３６ａの前側に下方へ突出された軸部３６ｂが設けられ、回動支点部３６ａの近傍にバネ掛け突片３６ｃが設けられている。
【００８７】
回動レバー３６のバネ掛け突片３６ｃとシャーシ１２の第４のバネ支持片部１２ｇとの間には第１の引張コイルバネ３７が支持されている。回動レバー３６は第１の引張コイルバネ３７によって平面で見て時計回り方向へ付勢されている。
【００８８】
ケース体７の支持面部１０にはロードレバー３８が回動自在に支持されている。ロードレバー３８は回動面部３８ａと該回動面部３８ａの前端部に回転自在に支持されたローラー３８ｂとから成る。ロードレバー３８の回動面部３８ａには下方に開口された図示しない摺動用溝が形成されている。ロードレバー３８は後端部が回動支点３８ｃとされている。
【００８９】
ロードレバー３８の摺動用溝には回動レバー３６の前端部が摺動自在に支持されている。従って、回動レバー３６が回動されると、該回動レバー３６の回動動作に伴ってロードレバー３８が回動される。
【００９０】
ロードレバー３８は第１の引張コイルバネ３７の作用によって回動レバー３６を介して平面で見て時計回り方向へ付勢されている。
【００９１】
シャーシ１２の下面側には略左右に長く形成されたリンク部材３９が回動自在に支持されている（図３乃至図６参照）。リンク部材３９は、図９に示すように、左端部に設けられたレバー連結部３９ａと、左端寄りの位置に設けられたバネ支持突部３９ｂと、右端部に設けられた被支持軸部３９ｃ及び摺動ピン３９ｄとを有している。被支持軸部３９ｃと摺動ピン３９ｄは上下に位置され、被支持軸部３９ｃは上方へ突出され摺動ピン３９ｄは下方へ突出されている。摺動ピン３９ｄはスライダー２０のカム面２８に摺動される摺動部として機能する。
【００９２】
リンク部材３９は被支持軸部３９ｃがシャーシ１２の支持孔１２ｃに摺動自在に支持され、該支持孔１２ｃの延びる方向（略左右方向）へシャーシ１２に対してスライド可能とされている。リンク部材３９はシャーシ１２に支持された状態において、摺動ピン３９ｄがスライダー２０のカム面２８に係合可能な位置にある。
【００９３】
リンク部材３９のバネ支持突部３９ｂとシャーシ１２の第２のバネ支持片部１２ｆとの間に第２の引張コイルバネ４０が支持されている（図４乃至図６参照）。従って、リンク部材３９は第２の引張コイルバネ４０によって略右方へ付勢されている。
【００９４】
シャーシ１２の突出面部１４にはイジェクトレバー４１が回動自在に支持されている（図３乃至図６参照）。イジェクトレバー４１は回動支持体４２とレバー本体４３が連結されて成る（図１０参照）。
【００９５】
回動支持体４２は略円板状に形成されたベース部４４と該ベース部４４の外周部からそれぞれ外方へ突出された第１の突部４５及び第２の突部４６とが一体に形成されて成る。ベース部４４の外周部には押圧片４４ａが設けられている。第１の突部４５には被押圧片４５ａが設けられている。回動支持体４２はベース部４４の中央部がシャーシ１２における突出面部１４の下面側に回動自在に支持されている。
【００９６】
レバー本体４３は略三角形状に形成され、一つの角部が回動支持体４２の第２の突部４６に回動自在に連結され、他の角部に舌片状のディスク保持部４３ａが設けられている。
【００９７】
回動支持体４２とレバー本体４３の間には付勢バネ４７が支持され、レバー本体４３が付勢バネ４７によって回動支持体４２に対して平面で見て時計回り方向へ付勢されている。
【００９８】
イジェクトレバー４１は回動支持体４２がシャーシ１２に支持された状態において、回動支持体４２とレバー本体４３の連結部がシャーシ１２の挿入配置孔１２ａに配置され、レバー本体４３がシャーシ１２の上面側に位置される（図４乃至図６参照）。
【００９９】
イジェクトレバー４１の回動支持体４２には、ベース部４４の外周部にリンク部材３９のレバー連結部３９ａが回動可能に連結されている。従って、リンク部材３９はイジェクトレバー４１の動作に連動して略左右方向へ移動され、イジェクトレバー４１はリンク部材３９を介して第２の引張コイルバネ４０の付勢力が付与され平面で見て時計回り方向へ付勢されている。
【０１００】
シャーシ１２における突出面部１４の下面側にはセンターリングレバー４８が回動自在に支持されている（図３乃至図５参照）。センターリングレバー４８には、図６及び図１１に示すように、前端部から前方へ突出されたバネ掛け突部４８ａと後端部から後方へ突出された被押圧突部４８ｂと前端部から上方へ突出されたストッパー突部４８ｃとが設けられている。ストッパー突部４８ｃには上方へ突出された連結ピン４８ｄが設けられている。
【０１０１】
センターリングレバー４８は後端部がシャーシ１２に回動自在に支持されている。センターリングレバー４８がシャーシ１２に支持された状態において、ストッパー突部４８ｃがシャーシ１２のレバー支持孔１２ｄから上方へ突出されている。
【０１０２】
シャーシ１２の第３のバネ支持部１２ｇには捩じりコイルバネである付勢用バネ４９のコイル部４９ａが支持され、該付勢用バネ４９の一端部４９ｂと他端部４９ｃがそれぞれシャーシ１２とセンターリングレバー４８のバネ掛け突部４８ａとに係合されている。従って、センターリングレバー４８は付勢用バネ４９によって平面で見て反時計回り方向へ付勢されている。
【０１０３】
シャーシ１２の基面部１３の上面側にはサポートレバー５０が回動自在に支持されている（図３乃至図６参照）。
【０１０４】
サポートレバー５０は、図１２に示すように、略Ｌ字状に形成され、一端部に保持ローラー５０ａが設けられている。サポートレバー５０の他端部には下方へ突出された被作用ピン５０ｂが設けられ、サポートレバー５０の他端寄りの位置が回動支点とされている。
【０１０５】
サポートレバー５０がシャーシ１２に支持された状態において、サポートレバー５０の被作用ピン５０ｂとシャーシ１２の第１のバネ支持片部１２ｅとの間に第３の引張コイルバネ５１が支持される（図４乃至図６参照）。従って、サポートレバー５０は第３の引張コイルバネ５１によって平面で見て時計回り方向へ付勢される。
【０１０６】
ケース体７における配置凹部１１の左端部には、その前半部に第１のガイド部材５２が配置されている（図３乃至図５参照）。第１のガイド部材５２は前後に長く形成され、樹脂材料によって形成されている。
【０１０７】
第１のガイド部材５２は、図１３に示すように、ガイド部５３とセンターリング部５４が前後で結合されて一体に形成されて成る。第１のガイド部材５２はガイド部５３がケース体７に固定されている。
【０１０８】
ガイド部５３とセンターリング部５４の結合部５２ａは薄肉状に形成され、センターリング部５４がガイド部５３に対して結合部５２ａを支点として略左右へ移動する方向へ弾性変形可能とされている。
【０１０９】
ガイド部５３には右方に開口されたガイド溝５３ａが形成されている。
【０１１０】
第１のガイド部材５２の右側面は略平面状に形成され、フロントパネル９のディスク挿脱口９ａから挿入されるディスク状記録媒体１００の外周面が摺接されるディスクガイド面５２ｂとして形成されている。
【０１１１】
センターリング部５４の後端部には上下に貫通された連結孔５４ａが形成され、該連結孔５４ａにセンターリングレバー４８の連結ピン４８ｄが下方から挿入されて結合される（図３乃至図５参照）。従って、センターリング部５４はセンターリングレバー４８の動作に伴って結合部５２ａを支点としてガイド部５３に対して略左右へ移動する方向へ弾性変形される。
【０１１２】
ケース体７の右端部には、その前半部に第２のガイド部材５５が配置されている。第２のガイド部材５５は樹脂材料によって形成されている。
【０１１３】
第２のガイド部材５５は、図１４に示すように、左右に延びる連結部５６と該連結部５６の左端部から後方へ突出された案内面部５７と連結部５６の右端部から後方へ突出された案内突部５８とが一体に形成されて成る。
【０１１４】
案内面部５７は幅広の形状に形成され、上面が略平面状に形成され、後端部における左端部に被支持突片５７ａが設けられている。被支持突片５７ａは右方へ突出され、スライダー２０の本体２１に形成された支持溝２４に摺動自在に係合されている。
【０１１５】
案内突部５８の左側面は略平面状に形成され、フロントパネル９のディスク挿脱口９ａから挿入されるディスク状記録媒体１００の外周面が摺接されるディスクガイド面５８ａとして形成されている。
【０１１６】
第２のガイド部材５５は連結部５６がケース体７における支持面部１０の前端部に固定され、図４及び図５に示すように、案内面部５７がウォーム１６及び減速ギヤ群１９及びスライダー２０の一部を上方から閉塞し、案内突部５８が支持面部１０の右端部に配置される。
【０１１７】
ケース体７の配置凹部１１にはサブスライダー５９が左右方向へ移動自在に支持されている（図３乃至図５参照）。サブスライダー５９はシャーシ１２の基面部１３の直ぐ前側において左右方向へ移動可能とされている。
【０１１８】
サブスライダー５９は、図１５に示すように、左右方向に長く形成され、左右方向における中央部に前方に開口されたガイド溝６０を有している。ガイド溝６０は、左右に延びる第１の水平部６０ａと、該第１の水平部６０ａの右端に連続し右方へ行くに従って上方へ傾斜する第１の傾斜部６０ｂと、該第１の傾斜部６０ｂの右端に連続し右方へ行くに従って下方へ傾斜する第２の傾斜部６０ｃと、該第２の傾斜部６０ｃの右端に連続し左右に延びる第２の水平部６０ｄとから成る。第２の水平部６０ｄは第１の水平部６０ａより上方に位置されている。
【０１１９】
サブスライダー５９の右端部には上方へ突出されたカムピン５９ａが設けられている。カムピン５９ａはスライダー２０の本体２１に形成された案内溝２７に摺動自在に係合されている。
【０１２０】
サブスライダー５９には後面から後方へ突出されたカム突部６１が設けられている。カム突部６１はサブスライダー５９の左右方向における中央部に設けられている。カム突部６１には右方へ行くに従って前方へ変位するように傾斜された傾斜カム溝６１ａと該傾斜カム溝６１ａの右端に連続し左右に延びる直線カム溝６１ｂとが形成されている。
【０１２１】
ケース体７の配置凹部１１には、図３乃至図５に示すように、サブスライダー５９の前側の位置に、ディスク駆動ユニット６２が、後端部が略上下に移動される方向へ回動自在（昇降自在）に支持されている。ディスク駆動ユニット６２はピックアップベース６３と該ピックアップベース６３にディスク状記録媒体１００の半径方向へ移動自在に支持された光ピックアップ６４とを有している。
【０１２２】
ピックアップベース６３の外周面には、それぞれ右方へ突出された第１の連結ピン６３ａと後方へ突出された第２の連結ピン６３ｂとが設けられている（図１６参照）。
【０１２３】
ピックアップベース６３には光ピックアップ６４等を配置するための配置孔６３ｃが形成されている。ピックアップベース６３の後端部には左右に離隔して被支持突部６３ｄ、６３ｄが設けられている。被支持突部６３ｄ、６３ｄはそれぞれケース体７の前端部に支持される。
【０１２４】
第１の連結ピン６３ａはスライダー２０の本体２１に形成されたガイド溝２５に摺動自在に連結され、第２の連結ピン６３ｂはサブスライダー５９に形成されたガイド溝６０に摺動自在に連結されている。従って、スライダー２０が前後方向へ移動されると共にサブスライダー５９が左右方向へ移動されることにより、ディスク駆動ユニット６２は後端部が略上下に移動される方向へ被支持突部６３ｄ、６３ｄを支点として回動（昇降）される。
【０１２５】
ピックアップベース６３の配置孔６３ｃには、その後端部にスピンドルモーター６５とディスクテーブル６６が配置されている。配置孔６３ｃには光ピックアップ６４が移動自在に支持されている。
【０１２６】
ディスクテーブル６６はスピンドルモーター６５のモーター軸に固定され、中央部にセンターリング突部６６ａを有し、該センターリング突部６６ａの外周側にディスク状記録媒体１００が載置されるテーブル部６６ｂが設けられている。センターリング突部６６ａの上端部における外周部には、周方向に離隔して係合爪６６ｃ、６６ｃ、６６ｃが設けられている。係合爪６６ｃ、６６ｃ、６６ｃはセンターリング突部６６ａの中心に対して離接する方向へ弾性変形可能とされている。
【０１２７】
シャーシ１２の下側には回路基板６７が配置され、図５に示すように、回路基板６７に起動スイッチ６８と第１の位置検出スイッチ６９と第２の位置検出スイッチ７０が搭載されている。起動スイッチ６８は回路基板６７の左端寄りに位置され、第１の検出スイッチ６９と第２の検出スイッチ７０は回路基板６７の右端部に前後に離隔して位置されている。
【０１２８】
以下に、ディスク状記録媒体１００のローディング時及びイジェクト時におけるディスクドライブ装置５の動作について説明する（図１７乃至図３１参照）。尚、以下の説明において各部の回動方向については、各図に示すＳ１方向及びＳ２方向により説明を行う。Ｓ１方向は平面で見て時計回り方向であり、Ｓ２方向は平面で見て反時計回り方向である。
【０１２９】
先ず、ディスク状記録媒体１００がフロントパネル９のディスク挿脱口９ａから挿入される前の各部の状態である初期状態について説明する（図１７及び図１８参照）。
【０１３０】
スライダー２０はラックギヤ２２が減速ギヤ群１９に噛合されて保持され、図１７に示すように、後方の移動端より稍前方に位置されている。このときスライダー２０の支持溝２４における上側直線部２４ａに第２のガイド部材５５の被支持突片５７ａが係合されている（図１８参照）。従って、第２のガイド部材５５は案内面部５７の後端部が前端部より稍上方に位置するように弾性変形されている。
【０１３１】
このように案内面部５７の後端部が前端部より稍上方に位置されているため、ディスク挿脱口９ａからディスク状記録媒体１００が挿入され案内面部５７に摺接されたときにディスク状記録媒体１００の後端部がディスク駆動ユニット６２のディスクテーブル６６やピックアップベース６３に接触し難い。従って、ディスク状記録媒体１００及びディスクテーブル６６の傷付きを防止することができると共にディスク状記録媒体１００の外筐６の内部への円滑な挿入動作を確保することができる。
【０１３２】
モーター保持板１７に支持されたシャッター１８は、上記のように、スライダー２０が後方側に位置されているため、フロントパネル９のディスク挿脱口９ａを開放する位置に保持されている。
【０１３３】
スライダー２０のガイド溝２５には第１の水平部２５ａの前端部にディスク駆動ユニット６２の第１の連結ピン６３ａが係合されている。
【０１３４】
スライダー２０の軸摺動溝２６には前側直線部２６ａの後端部に回動レバー３６の軸部３６ｂが係合されている。このとき回動レバー３６はＳ２方向における回動端寄りに位置され、回動レバー３６に連結されているロードレバー３８もＳ２方向における回動端寄りに位置されている。
【０１３５】
スライダー２０の案内溝２７には第１の直線部２７ａにサブスライダー５９のカムピン５９ａが係合されている（図１７参照）。従って、サブスライダー５９は右方の移動端に位置されている。このときサブスライダー５９のガイド溝６０には第１の水平部６０ａにディスク駆動ユニット６２の第２の連結ピン６３ｂが係合されている。
【０１３６】
初期状態においては、スライダー２０のスイッチ押圧部２１ｅが第２の位置検出スイッチ７０の直ぐ前側に位置され、第２の位置検出スイッチ７０はオフ状態とされている。また、第２の位置検出スイッチ７０の前方に位置されている第１の位置検出スイッチ６９もオフ状態とされている。
【０１３７】
リンク部材３９は第２の引張コイルバネ４０の付勢力によって被支持軸部３９ｃがシャーシ１２の支持孔１２ｃにおける右側の開口縁に接する状態とされ、右方の移動端に位置されている。このときリンク部材３９の摺動ピン３９ｄはスライダー２０のカム面２８の前方に離隔して位置されている。
【０１３８】
リンク部材３９に連結されているイジェクトレバー４１は、リンク部材３９の位置に応じてＳ１方向における回動端に位置されてレバー本体４３が前方の移動端に位置され、ディスク保持部４３ａがディスクテーブル６６のセンターリング突部６６ａの前方に位置されている。このとき第１の突部４５によって起動スイッチ６８が操作されており該起動スイッチ６８がオン状態とされている。
【０１３９】
センターリングレバー４８は付勢用バネ４９の付勢力によってストッパー突部４８ｃがレバー支持孔１２ｄの右側の開口縁に接する状態とされ、Ｓ２方向における回動端に位置されている。
【０１４０】
サポートレバー５０は第３の引張コイルバネ５１の付勢力によって被作用ピン５０ｂがシャーシ１２のバネ配置孔１２ｂの右側の開口縁に接する状態とされ、Ｓ１方向における回動端に位置されている。
【０１４１】
ディスク駆動ユニット６２は、上記したように、第１の連結ピン６３ａがスライダー２０に形成されたガイド溝２５の第１の水平部２５ａにおける前端部に係合され、第２の連結ピン６３ｂがサブスライダー５９に形成されたガイド溝６０の第１の水平部６０ａにおける左端部に係合されている。従って、ディスク駆動ユニット６２は後下がりの状態で傾斜され下方の移動端に位置されている。
【０１４２】
以上に記載した初期状態において、ディスク状記録媒体１００がフロントパネル９のディスク挿脱口９ａから挿入されると、図１９及び図２０に示すように、ディスク状記録媒体１００は外周面がロードレバー３８のローラー３８ｂと第１のガイド部材５２のガイド溝５３ａに摺接され後方へ移動されていく。
【０１４３】
後方へ移動されるディスク状記録媒体１００は、図２１に示すように、外周面がイジェクトレバー４１のレバー本体４３におけるディスク保持部４３ａに接して保持される。イジェクトレバー４１はディスク状記録媒体１００によって押圧されて第２の引張コイルバネ４０の付勢力に抗してＳ２方向へ回動されていく。このときロードレバー３８はディスク状記録媒体１００の後方への移動に伴って第１の引張コイルバネ３７の付勢力に抗してＳ２方向へ回動され、ロードレバー３８の回動に伴って回動レバー３６もＳ２方向へ回動される。
【０１４４】
ディスク挿脱口９ａからディスク状記録媒体１００が挿入されたときには、上記したように、ディスク状記録媒体１００がディスクテーブル６６のセンターリング突部６６ａの前方に位置されているディスク保持部４３ａに保持される。
【０１４５】
従って、ディスク状記録媒体１００はセンターリング突部６６ａの前方において保持されるため、ディスク状記録媒体１００が水平状態に対して後下がりの状態で傾斜してディスク挿脱口９ａから挿入されてしまった場合においても、ディスク状記録媒体１００がディスクテーブル６６やピックアップベース６３に接触し難い。また、上記したように、ディスク状記録媒体１００のディスク挿脱口９ａからの挿入時には、第２のガイド部材５５における案内面部５７の後端部が前端部より稍上方に位置されているため、ディスク状記録媒体１００の後端部がディスクテーブル６６やピックアップベース６３に接触し難い。従って、ディスク状記録媒体１００及びディスクテーブル６６の傷付きを防止することができると共にディスク状記録媒体１００の外筐６の内部への円滑な挿入動作を確保することができる。
【０１４６】
さらにディスク状記録媒体１００がケース体７の内部へ挿入されていき後方へ移動されていくと、図２２に示すように、ディスク状記録媒体１００の中心がロードレバー３８のローラー３８ｂより後方に位置される。ロードレバー３８は第１の引張コイルバネ３７の付勢力によってＳ１方向へ付勢されており、ローラー３８ｂがディスク状記録媒体１００の外周面に押し付けられる。
【０１４７】
このときディスク状記録媒体１００はイジェクトレバー４１のディスク保持部４３ａとサポートレバー５０の保持ローラー５０ａに保持されている。イジェクトレバー４１とサポートレバー５０はディスク保持部４３ａと保持ローラー５０ａがディスク状記録媒体１００に押圧されることによりＳ２方向へ回動されていく。
【０１４８】
ディスク状記録媒体１００は第１のガイド部材５２のディスクガイド面５２ｂと第２のガイド部材５５のディスクガイド面５８ａに摺接されて案内され後方へ移動されていく。リンク部材３９はイジェクトレバー４１のＳ２方向への回動に伴って略左方へ移動されていく。
【０１４９】
尚、ディスク状記録媒体１００のディスク挿脱口９ａに対する挿入時及び排出時には、何れもディスク状記録媒体１００は外周面が第１のガイド部材５２のディスクガイド面５２ｂと第２のガイド部材５５のディスクガイド面５８ａに案内されて前後方向へ移動されていく。
【０１５０】
上記したように、第１のガイド部材５２はガイド部５３とセンターリング部５４が前後で結合されて一体に形成され、ディスクガイド面５２ｂはガイド部５３とセンターリング部５４の全体に亘って形成されている。
【０１５１】
このようにガイド部５３とセンターリング部５４が一体に形成されているため、ディスク状記録媒体１００の外周面がガイド部５３とセンターリング部５４を連続して円滑に摺接され、ディスク状記録媒体１００のローディング動作を円滑に行うことができると共にディスク状記録媒体１００の傷付きを防止することができる。
【０１５２】
上記したように、イジェクトレバー４１がＳ２方向へ回動されたときには、回動支持体４２の第１の突部４５による起動スイッチ６８に対する操作が解除され、起動スイッチ６８がオフ状態とされる。起動スイッチ６８がオフ状態とされると、駆動モーター１５の一方（正転方向）への回転が開始される。
【０１５３】
駆動モーター１５の回転が開始された後は、該駆動モーター１５の駆動力によるディスク状記録媒体１００のローディングが行われるため、使用者の手動によるディスク状記録媒体１００の挿入作業は不要となる。
【０１５４】
駆動モーター１５が回転されると、その駆動力がウォーム１６及び減速ギヤ群１９を介してスライダー２０に伝達され、該スライダー２０が前方へ移動されていく。
【０１５５】
スライダー２０が前方へ移動されていくと、回動レバー３６の軸部３６ｂが軸摺動溝２６を前側直線部２６ａから前側斜行部２６ｂへ移動されていく（図２３参照）。従って、回動レバー３６及びロードレバー３８がそれぞれＳ１方向へ回動され、ディスク状記録媒体１００はロードレバー３８のローラー３８ｂによって後方へ押圧され、駆動モーター１５の駆動力によって後方へ移動されていく。
【０１５６】
このとき第２のガイド部材５５の被支持突片５７ａはスライダー２０の支持溝２４における上側直線部２４ａから斜行部２５ｂを経て下側直線部２４ｃを移動されていく。従って、第２のガイド部材５５の後端部が弾性復帰されて前端部と同じ高さに戻る。
【０１５７】
ディスク駆動ユニット６２は第１の連結ピン６３ａが第１の水平部２５ａを後方へ移動される。サブスライダー５９はカムピン５９ａが案内溝２７の第１の直線部２７ａを後方へ移動されるため左右方向へ移動されず、ディスク駆動ユニット６２の第２の連結ピン６３ｂはガイド溝６０の第１の水平部６０ａに係合されたままである。従って、ディスク駆動ユニット６２は昇降されない。
【０１５８】
引き続きスライダー２０が前方へ移動されると、図２４に示すように、ロードレバー３８のＳ１方向への回動によってディスク状記録媒体１００は全体がケース体７の内部に挿入される。
【０１５９】
ディスク状記録媒体１００の全体がケース体７の内部に挿入されると、Ｓ１方向へ回動されていた回動レバー３６は軸部３６ｂが軸摺動溝２６を前側斜行部２６ｂから中側直線部２６ｃへ移動され、該中側直線部２６ｃを後方へ移動されていく。従って、回動レバー３６及びロードレバー３８のＳ１方向への回動が停止され、ディスク状記録媒体１００の後方への移動が停止される。このときディスク状記録媒体１００は中心孔１００ａがディスクテーブル６６のセンターリング突部６６ａの真上に位置される。
【０１６０】
ディスク状記録媒体１００の後方への移動が停止されるため、イジェクトレバー４１のＳ２方向への回動、リンク部材３９の略左方への移動及びサポートレバー５０のＳ２方向への回動が停止される。このときディスク状記録媒体１００の外周面にはサポートレバー５０をＳ１方向へ付勢する第３の引張コイルバネ５１によって保持ローラー５０ａが押し付けられ、ディスク状記録媒体１００の外周面がロードレバー３８のローラー３８ｂ及び第１のガイド部材５２のセンターリング部５４に押し付けられている（図２５参照）。従って、ディスク状記録媒体１００はサポートレバー５０の保持ローラー５０ａ、ロードレバー３８のローラー３８ｂ及び第１のガイド部材５２のセンターリング部５４によって保持され（図２４参照）、ディスクテーブル６６のセンターリング突部６６ａに対する位置決めが行われる。このときディスク状記録媒体１００の外周面にはイジェクトレバー４１のディスク保持部４３ａも接している。
【０１６１】
スライダー２０の前方への移動により回動レバー３６の軸部３６ｂが中側直線部２６ｃを後方へ移動されていくときには、ディスク駆動ユニット６２の第１の連結ピン６３ａがガイド溝２５の第１の水平部２５ａから第１の傾斜部２５ｂへ移動され、該第１の傾斜部２５ｂを上方へ移動されていく。このときサブスライダー５９はカムピン５９ａが案内溝２７の第１の直線部２７ａから傾斜部２７ｂへ移動され、該傾斜部２７ｂを後方へ移動されていく。従って、サブスライダー５９は左方へ移動されていき、ディスク駆動ユニット６２の第２の連結ピン６３ｂがガイド溝６０の第１の水平部６０ａから第１の傾斜部６０ｂへ移動され、該第１の傾斜部６０ｂを上方へ移動されていく。
【０１６２】
ディスク駆動ユニット６２は、第１の連結ピン６３ａが第１の傾斜部２５ｂを上方へ移動され第２の連結ピン６３ｂが第１の傾斜部６０ｂを上方へ移動されていくため、上昇されていく。
【０１６３】
ディスク駆動ユニット６２の上昇によりディスクテーブル６６の係合爪６６ｃ、６６ｃ、６６ｃによってディスク状記録媒体１００が押し上げられて該ディスク状記録媒体１００の内周部がカバー体８の下面に押し付けられる。このときディスクテーブル６６のセンターリング突部６６ａは上端部がカバー体８の挿入孔８ａから上方へ突出される。
【０１６４】
ディスク状記録媒体１００が下方から押し付けられたカバー体８は一旦撓められるが、その反力がディスク状記録媒体１００に下方への押圧力として付与される。従って、ディスク状記録媒体１００に付与された押圧力によってディスクテーブル６６の係合爪６６ｃ、６６ｃ、６６ｃが弾性変形されてディスク状記録媒体１００の中心孔１００ａにセンターリング突部６６ｂが嵌合される。ディスク状記録媒体１００の中心孔１００ａにセンターリング突部６６ｂが嵌合されると、弾性変形されていた係合爪６６ｃ、６６ｃ、６６ｃが弾性復帰してディスク状記録媒体１００の中心孔１００ａの上側開口縁に係合され、ディスク状記録媒体１００がディスクテーブル６６にチャッキングされて保持される。
【０１６５】
ディスク状記録媒体１００がディスクテーブル６６にチャッキングされた後もスライダー２０は引き続き前方へ移動され、ディスク駆動ユニット６２の第１の連結ピン６３ａがガイド溝２５の第１の傾斜部２５ｂから第２の傾斜部２５ｃへ移動され、該第２の傾斜部２５ｃを移動される。このときサブスライダー５９はカムピン５９ａが案内溝２７の傾斜部２７ｂを移動されていく。従って、サブスライダー５９は左方へ移動されていき、ディスク駆動ユニット６２の第２の連結ピン６３ｂがガイド溝６０の第１の傾斜部６０ｂから第２の傾斜部６０ｃへ移動され、該第２の傾斜部６０ｃを移動されていく。
【０１６６】
上記のように第１の連結ピン６３ａが第２の傾斜部２５ｃを移動され、第２のの連結ピン６３ｂが第２の傾斜部６０ｃを移動されることにより、ディスク駆動ユニット６２は略下方へ移動される。
【０１６７】
スライダー２０は引き続き駆動モーター１５の駆動力によって前方へ移動される（図２６参照）。
【０１６８】
スライダー２０は前方の移動端まで移動され、スライダー２０の作用によりモーター保持板１７に支持されたシャッター１８が略上方へ移動されてディスク挿脱口９ａが閉塞される。
【０１６９】
スライダー２０が前方へ移動されると、ディスク駆動ユニット６２の第１の連結ピン６３ａがガイド溝２５の第２の傾斜部２５ｃから第２の水平部２５ｄへ移動され、該第２の水平部２５ｄを移動される。このときサブスライダー５９はカムピン５９ａが案内溝２７の傾斜部２７ｂを第２の直線部２７ｃへ向けて移動される。従って、サブスライダー５９は左方へ移動され、ディスク駆動ユニット６２の第２の連結ピン６３ｂがガイド溝６０の第２の傾斜部６０ｃから第２の水平部６０ｄへ移動され、該第２の水平部６０ｄを移動される。
【０１７０】
上記のように第１の連結ピン６３ａが第２の水平部２５ｄを移動され、第２のの連結ピン６３ｂが第２の水平部６０ｄを移動されるため、ディスク駆動ユニット６２は上下方向へ移動されない。
【０１７１】
スライダー２０の前方への移動により、回動レバー３６は軸部３６ｂが軸摺動溝２６を中側直線部２６ｃから後側斜行部２６ｄを経て後側直線部２６ｅまで移動される。従って、回動レバー３６及びロードレバー３８がＳ２方向へ回動され、ロードレバー３８のローラー３８ｂがディスク状記録媒体１００の外周面から離隔される。
【０１７２】
このとき、上記したように、サブスライダー５９が左方へ移動されるため、サポートレバー５０の被作用ピン５０ｂがカム突部６１の傾斜カム溝６１ａに挿入され直線カム溝６１ｂまで移動される。被作用ピン５０ｂが傾斜カム溝６１ａから直線カム溝６１ｂまで移動されることにより、サポートレバー５０は第３の引張コイルバネ５１の付勢力に抗してＳ２方向へ回動され、保持ローラー５０ａがディスク状記録媒体１００の外周面から離隔される。
【０１７３】
同時に、サブスライダー５９の左方への移動により、イジェクトレバー４１における回動支持体４２の被押圧片４５ａがサブスライダー５９の左端部によって左方へ押圧される。従って、イジェクトレバー４１は第２の引張コイルバネ４０の付勢力に抗してＳ２方向へ回動される。
【０１７４】
イジェクトレバー４１がＳ２方向へ回動されると、イジェクトレバー４１に連結されているリンク部材３９が左方の移動端まで移動される。
【０１７５】
イジェクトレバー４１のＳ２方向への回動により、イジェクトレバー４１におけるレバー本体４３のディスク保持部４３ａがディスク状記録媒体１００の外周面から離隔される。
【０１７６】
同時に、イジェクトレバー４１のＳ２方向への回動により、イジェクトレバー４１における回動支持体４２の押圧片４４ａによってセンターリングレバー４８の被押圧突部４８ｂが右方へ押圧され、センターリングレバー４８が付勢用バネ４９の付勢力に抗してＳ１方向へ回動される。センターリングレバー４８のＳ１方向への回動により、センターリングレバー４８に連結されている第１のガイド部材５２のセンターリング部５４がガイド部５３に対して左方へ移動される方向へ弾性変形される（図２７参照）。従って、センターリング部５４がディスク状記録媒体１００の外周面から離隔される。
【０１７７】
このようにディスクドライブ装置５にあっては、ガイド部５３とセンターリング部５４を一体に形成しセンターリング部５４をガイド部５３に対して弾性変形させてセンターリング部５４をディスク状記録媒体１００の外周面から離隔するようにしている。従って、構造及び動作が単純であり、機構の簡素化を図ることができる。
【０１７８】
上記のように、ロードレバー３８のローラー３８ｂ、サポートレバー５０の保持ローラー５０ａ、レバー本体４３のディスク保持部４３ａ及び第１のガイド部材５２のセンターリング部５４がディスク状記録媒体１００の外周面から離隔されることにより、ディスク状記録媒体１００の回転が可能な状態とされる。
【０１７９】
上記のように、スライダー２０が前方へ移動されると、スイッチ押圧部２１ｅによって第１の位置検出スイッチ６９が操作され、該第１の位置検出スイッチ６９がオン状態とされる。第１の位置検出スイッチ６９がオン状態とされることにより、駆動モーター１５の回転が停止され、スライダー２０の前方への移動が停止される。
【０１８０】
ディスク状記録媒体１００はスピンドルモーター６５の回転によるディスクテーブル６６の回転に伴って回転され、光ピックアップ６４の駆動により情報信号の記録又は再生が行われる。
【０１８１】
ディスク状記録媒体１００に対する情報信号の記録又は再生が終了すると、イジェクト釦９ｃに対する使用者の操作により、駆動モーター１５が反転方向へ回転されてイジェクト動作が開始される。
【０１８２】
駆動モーター１５が反転方向へ回転されると、図２８に示すように、スライダー２０が後方へ移動され、モーター保持板１７に支持されたシャッター１８が略下方へ移動されてディスク挿脱口９ａが開放される。また、スライダー２０のスイッチ押圧部２１ｅによる第１の位置検出スイッチ６９に対する操作が解除され、該第１の位置検出スイッチ６９がオフ状態とされる。
【０１８３】
同時に、駆動モーター１５が反転方向へ回転されると、スライダー２０が後方へ移動され、上記とは逆の動作により再びディスク状記録媒体１００の外周面がロードレバー３８のローラー３８ｂ、イジェクトレバー４１のディスク保持部４３ａ、サポートレバー５０の保持ローラー５０ａ及び第１のガイド部材５２のセンターリング部５４によって保持される。
【０１８４】
即ち、回動レバー３６は軸部３６ｂが軸摺動溝２６を後側直線部２６ｅから後側斜行部２６ｄを経て中側直線部２６ｃまで移動され、回動レバー３６及びロードレバー３８がＳ１方向へ回動され、ロードレバー３８のローラー３８ｂがディスク状記録媒体１００の外周面に接する。
【０１８５】
また、サブスライダー５９はカムピン５９ａが案内溝２７を第２の直線部２７ｃから傾斜部２７ｂへ移動されることにより右方へ移動される。サブスライダー５９の右方への移動により、サポートレバー５０の被作用ピン５０ｂが傾斜カム溝６１ａから引き出され、サポートレバー５０が第３の引張コイルバネ５１の付勢力によってＳ１方向へ回動されて保持ローラー５０ａがディスク状記録媒体１００の外周面に接する。
【０１８６】
さらに、サブスライダー５９の右方への移動により、イジェクトレバー４１の被押圧片４５ａに対するサブスライダー５９の押圧が解除され、イジェクトレバー４１が第２の引張コイルバネ４０の付勢力によってＳ１方向へ回動されてディスク保持部４３ａがディスク状記録媒体１００の外周面に接する。
【０１８７】
さらにまた、イジェクトレバー４１のＳ１方向への回動により押圧片４４ａによるセンターリングレバー４８の被押圧突部４８ｂへの押圧が解除され、センターリングレバー４８が付勢用バネ４９の付勢力によってＳ２方向へ回動される。センターリングレバー４８のＳ２方向への回動により、第１のガイド部材５２のセンターリング部５４がガイド部５３に対して右方へ移動される方向へ弾性復帰され、センターリング部５４がディスク状記録媒体１００の外周面に接する。
【０１８８】
続いて、スライダー２０の後方への移動とサブスライダー５９の右方への移動によってディスクテーブル６６に対するディスク状記録媒体１００のチャッキングが以下のようにして解除される。
【０１８９】
ディスク状記録媒体１００のチャッキングの解除は、ディスク状記録媒体１００がロードレバー３８のローラー３８ｂ、イジェクトレバー４１のディスク保持部４３ａ、サポートレバー５０の保持ローラー５０ａ及び第１のガイド部材５２のセンターリング部５４に保持された状態において行われる。
【０１９０】
スライダー２０の後方への移動によりディスク駆動ユニット６２の第１の連結ピン６３ａがガイド溝２５の第２の水平部２５ｄから第２の傾斜部２５ｃ及び第１の傾斜部２５ｂを経て第１の水平部２５ａまで移動される。また、サブスライダー５９の右方への移動によりディスク駆動ユニット６２の第２の連結ピン６３ｂがガイド溝６０の第２の水平部６０ｄから第２の傾斜部６０ｃ及び第１の傾斜部６０ｂを経て第１の水平部６０ａまで移動される。従って、ディスク駆動ユニット６２が一旦上昇された後に下降され、下降途中においてケース体７に設けられたリリースピン７ａにディスク状記録媒体１００の内周部が接触されてディスクテーブル６６のセンターリング突部６６ａからディスク状記録媒体１００が引き剥がされてチャッキングが解除される。
【０１９１】
ディスク状記録媒体１００のチャッキングの解除動作が行われているときには、回動レバー３６は軸部３６ｂが軸摺動溝２６の中側直線部２６ｃを移動されるため回動されない。従って、ロードレバー３８も回動されない。
【０１９２】
ディスク駆動ユニット６２が下降されディスク状記録媒体１００のチャッキングが解除されると、ディスク状記録媒体１００のディスク挿脱口９ａからの排出動作が行われ、スライダー２０が引き続き後方へ移動される（図２９参照）。
【０１９３】
スライダー２０の後方への移動により、サブスライダー５９はカムピン５９ａが案内溝２７の傾斜部２７ｂから第１の直線部２７ａに移動されており右方への移動が停止されている。このときスライダー２０の後方への移動により、リンク部材３９の摺動ピン３９ｄがカム面２８によって後方へ押圧される。従って、リンク部材３９は摺動ピン３９ｄがカム面２８に摺動されて略右方へ移動されていく（図３０参照）。
【０１９４】
リンク部材３９が略右方へ移動されていくと、イジェクトレバー４１がＳ１方向へ回動されてディスク状記録媒体１００がディスク保持部４３ａによって前方へ押圧されていく（図２９参照）。ディスク状記録媒体１００が前方へ移動されていくと、その一部がディスク挿脱口９ａから前方へ突出されていく。
【０１９５】
このときサポートレバー５０は第３の引張コイルバネ５１の付勢力によってＳ１方向へ回動され保持ローラー５０ａがディスク状記録媒体１００の前方への移動に追従される。回動レバー３６は軸部３６ｂが軸摺動溝２６の中側直線部２６ｃから前側斜行部２６ｂを経て前側直線部２６ａまで移動されるためＳ２方向へ回動され、ロードレバー３８はローラー３８ｂがディスク状記録媒体１００の外周面に接触された状態でＳ２方向へ回動されていく。回動レバー３６は軸部３６ｂが軸摺動溝２６の前側直線部２６ａにおける前端部まで移動され、ロードレバー３８はＳ２方向における回動端まで回動される。
【０１９６】
ディスク状記録媒体１００のイジェクト動作が行われているときには、ディスク状記録媒体１００は外周面が第１のガイド部材５２のディスクガイド面５２ｂと第２のガイド部材５５のディスクガイド面５８ａに案内されて前方へ移動されていく。
【０１９７】
上記したように、第１のガイド部材５２はガイド部５３とセンターリング部５４が前後で結合されて一体に形成され、ディスクガイド面５２ｂはガイド部５３とセンターリング部５４の全体に亘って形成されている。
【０１９８】
このようにガイド部５３とセンターリング部５４が一体に形成されているため、ディスク状記録媒体１００の外周面がガイド部５３とセンターリング部５４を連続して円滑に摺接され、ディスク状記録媒体１００のローディング動作を円滑に行うことができると共にディスク状記録媒体１００の傷付きを防止することができる。
【０１９９】
スライダー２０が後方へ移動され、図３１に示すように、ディスク状記録媒体１００の略前半部がディスク挿脱口９ａから排出されると、スライダー２０のスイッチ押圧部２１ｅによって第２の位置検出スイッチ７０が操作され、該第２の位置検出スイッチ７０がオン状態とされる。このときスライダー２０は後方の移動端まで移動される。
【０２００】
使用者は、ディスク挿脱口９ａから突出した部分を把持してディスク状記録媒体１００をディスクドライブ装置５から取り出すことができる。
【０２０１】
上記したように、第２の位置検出スイッチ７０がオン状態とされると、駆動モーター１５の回転方向が反転されて再びスライダー２０の前方への移動が開始される。
【０２０２】
スライダー２０は、各部が初期状態（図１７参照）に戻るまで前方へ移動されて停止される。
【０２０３】
ディスクドライブ装置５においては、上記したように、駆動モーター１５の駆動力によってイジェクト動作が行われるため、例えば、駆動モーター１５に電力を供給する回路の故障等によって駆動モーター１５が動作しなくなった場合に、ディスク状記録媒体１００がイジェクトされなくなるおそれがある。
【０２０４】
そこで、ディスクドライブ装置５にあっては、以下のように、ディスク状記録媒体１００を強制的にイジェクトすることが可能とされている（図３２乃至図３５参照）。
【０２０５】
ディスク状記録媒体１００の強制的なイジェクトは、フロントパネル９に形成されたピン挿通孔９ｂに押圧ピン２００を挿入しスライダー２０の本体２１に支持されたスライドプレート３５の被押圧部３５ａを後方へ押圧することにより行うことができる。
【０２０６】
ロックプレート３１は左方の移動端であるロック位置にあり（図３２参照）、この状態において、押圧ピン２００によって被押圧部３５ａが後方へ押圧されスライドプレート３５が後方へ移動されると、ロック解除部３５ｂによってロックプレート３１のカム摺動面３２ａが後方へ押圧される（図３３参照）。従って、ロックプレート３１がバネ部材３４の付勢力に抗してロック解除位置へ向けて移動されラックギヤ２２の本体２１に対するロックが解除される（図３４参照）。
【０２０７】
ロックプレート３１がスライドプレート３５の後方への移動によって右方の移動端であるロック解除位置に至ると、被支持部３２の右側面が支持凹部２３の側面に接し、それ以上のロックプレート３１の右方への移動が規制される。従って、引き続きスライドプレート３５が後方へ移動されて押圧部３５ｃによってカム摺動面３２ａが後方へ押圧されると、スライドプレート３５及びロックプレート３１を介して本体２１に押圧ピン２００による後方への押圧力が付与され、本体２１がラックギヤ２２に対して後方へ移動される。このとき本体２１は被案内部２１ｄがラックギヤ２２の案内部２９ｃに案内されて後方へ移動される（図３５参照）。
【０２０８】
本体２１がラックギヤ２２に対して後方へ移動されると、スライダー２０が駆動モーター１５の駆動力によって後方へ移動されたときの上記したイジェクト動作と同様の動作によってディスク状記録媒体１００がディスク挿脱口９ａから排出されて強制的なイジェクトが完了する。
【０２０９】
上記したディスク状記録媒体１００の強制的なイジェクトが完了した後に、押圧ピン２００がピン挿通孔９ｂから引き抜かれると、スライドプレート３５の被押圧部３５ａに対する押圧が解除される。
【０２１０】
スライドプレート３５の被押圧部３５ａに対する押圧ピン２００による押圧が解除された状態において、本体２１がラックギヤ２２に対して前方へ移動されているときには、ラックギヤ２２が本体２１にロックされている状態のときよりも本体２１がラックギヤ２２に対して後方へ移動されている。従って、図３６に示すように、連通孔２１ａはラックギヤ２２の被ロック凹部２９ｂより後方に位置されており、ロックプレート３１はバネ部材３４の付勢力によってロック部３３がラックギヤ２２の壁部２９ａの右側面に接してロック位置までは移動されない。
【０２１１】
ロックプレート３１は、図３７に示すように、本体２１がラックギヤ２２に対して前方へ移動され連通孔２１ａが被ロック凹部２９ｂの右方に位置されたときにバネ部材３４の付勢力によってロック位置へ向けて移動される。ロックプレート３１がロック位置へ向けて再び移動されると、ロック部３３が被ロック凹部２９ｂに嵌合されてラックギヤ２２が本体２１にロックされる（図３２参照）。スライドプレート３５にはロックプレート３１を介してバネ部材３４の付勢力が付与され、ストッパー部３５ｄが本体２１における後側の押さえ部２１ｃに押し付けられる。従って、スライドプレート３５は、本体２１に対する前方への移動が規制され、押圧ピン２００による押圧が行われる前の元の位置に戻る。
【０２１２】
尚、本体２１はラックギヤ２２に対して前方へ移動されるときにも、被案内部２１ｄがラックギヤ２２の案内部２９ｃに案内される。
【０２１３】
上記のように、本体２１に被案内部２１ｄを設けラックギヤ２２に案内部２９ｃを形成し本体２１がラックギヤ２２に対して前後方向へ移動されるときに被案内部２１ｄが案内部２９ｃに案内されるようにしているため、本体２１からラックギヤ２２が脱落することがない。従って、ラックギヤ２２の本体２１に対するロックが解除され本体２１がラックギヤ２２に対して後方へ移動された後に、ロックプレート３５によって再びラックギヤ２２を本体２１に円滑かつ確実にロックすることができる。
【０２１４】
以上に記載した通り、ディスクドライブ装置５にあっては、ディスク状記録媒体１００の強制的なイジェクト動作が行われるときに、本体２１に対するラックギヤ２２のロックが解除されラックギヤ２２に対して本体２１が後方へ移動されるようにしている。
【０２１５】
従って、イジェクト用のピンである押圧ピン２００によって移動されるスライドプレート３５に対してラックギヤ２２から負荷が付与されることがなく、スライドプレート３５に対する負荷が小さく、イジェクト動作の円滑化を図ることができる。
【０２１６】
また、ディスクドライブ装置５にあっては、リンク部材３９の摺動ピン３９ｄをスライダー２０のカム面２８によって押圧し、スライダー２０の移動力をリンク部材３９に付与して該リンク部材３９を直線方向へスライドさせるようにしている。
【０２１７】
従って、スライダー２０の移動力をリンク部材３９に付与するためのスライダー２０とリンク部材３９を連結するリンク機構を必要とせず、その分、機構の簡素化を図ることができる。また、リンク機構を介在せずにスライダー２０の移動力をリンク部材３９に付与しているため、スライダー２０からリンク部材３９に付与される移動力の損失が少なく、スライダー２０からリンク部材３９に付与される力の伝達効率の向上を図ることができる。
【０２１８】
さらに、リンク部材３９に対するスライダー２０の移動力の付与を摺動ピン３９ｄと所定の方向を向くカム面２８とによって行っているため、移動力の付与構造が簡素であり、ディスクドライブ装置５の一層の機構の簡素化を図ることができる。
【０２１９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０２２０】
【図１】図２乃至図３７と共に本発明を実施するための最良の形態を示すものであり、本図は電子機器の斜視図である。
【図２】ディスクドライブ装置とディスク状記録媒体を示す斜視図である。
【図３】ディスクドライブ装置の分解斜視図である。
【図４】ディスクドライブ装置の斜視図である。
【図５】ディスクドライブ装置の概略平面図である。
【図６】シャーシとこれに支持された各部材とを示す拡大斜視図である。
【図７】スライダーの拡大斜視図である。
【図８】スライダーの一部を示す拡大分解斜視図である。
【図９】リンク部材の拡大斜視図である。
【図１０】イジェクトレバーの拡大斜視図である。
【図１１】センターリングレバーがシャーシに支持された状態を示す拡大斜視図である。
【図１２】サポートレバーの拡大斜視図である。
【図１３】第１のガイド部材の拡大斜視図である。
【図１４】第２のガイド部材の拡大斜視図である。
【図１５】サブスライダーの拡大斜視図である。
【図１６】ディスク駆動ユニットの拡大斜視図である。
【図１７】図１８乃至図３１と共にディスクドライブ装置の動作を示すものであり、本図は、初期状態を示す概略平面図である。
【図１８】第２のガイド部材の被支持突片がスライダーの支持溝における上側直線部に係合されている状態を示す拡大斜視図である。
【図１９】ディスク状記録媒体がディスク挿脱口から挿入された直後の状態を示す概略平面図である。
【図２０】ディスク状記録媒体が第１のガイド部材のガイド溝に案内されている状態を示す概略拡大平面図である。
【図２１】図１９に引き続きディスク状記録媒体がイジェクトレバーのディスク保持部に保持された状態を示す概略平面図である。
【図２２】図２１に引き続き駆動モーターの正転方向への回転が開始された状態を示す概略平面図である。
【図２３】図２２に引き続きディスク状記録媒体がロードレバーによってケース体の内部に挿入されていく状態を示す概略平面図である。
【図２４】図２３に引き続きディスク状記録媒体のセンターリングが完了した状態を示す概略平面図である。
【図２５】ディスク状記録媒体が第１のガイド部材のセンターリング部に保持されている状態を示す概略拡大平面図である。
【図２６】ディスク状記録媒体のローディング動作が完了した状態を示す概略平面図である。
【図２７】第１のガイド部材のセンターリング部が弾性変形されてディスク状記録媒体の外周面から離隔された状態を示す概略拡大平面図である。
【図２８】ディスク状記録媒体のイジェクト動作が開始された直後の状態を示す概略平面図である。
【図２９】図２８に引き続きディスク状記録媒体がディスク挿脱口から排出されている状態を示す概略平面図である。
【図３０】リンク部材の摺動ピンがスライダーのカム面に押圧されている状態を示す概略拡大平面図である。
【図３１】イジェクト動作が完了した状態を示す概略平面図である。
【図３２】図３３乃至図３５と共にディスク状記録媒体の強制的なイジェクト動作を示すものであり、本図は、ラックギヤが本体にロックされている状態を一部を断面にして示す拡大平面図である。
【図３３】スライドプレートが後方へ押圧されて移動されロック解除部によってロックプレートのカム摺動面が後方へ押圧されている状態を一部を断面にして示す拡大平面図である。
【図３４】ロックプレートがロック解除位置に移動されラックギヤの本体に対するロックが解除された状態を一部を断面にして示す拡大平面図である。
【図３５】本体がラックギヤに対して後方へ移動されている状態を一部を断面にして示す拡大平面図である。
【図３６】スライドプレートに対する押圧が解除された状態を一部を断面にして示す拡大平面図である。
【図３７】ロックプレートがロック位置へ向けて移動されている状態を一部を断面にして示す拡大平面図である。
【符号の説明】
【０２２１】
１…電子機器、２…機器本体、５…ディスクドライブ装置、６…外筐、９ａ…ディスク挿脱口、１２…シャーシ、１５…駆動モーター、１９…減速ギヤ群、２０…スライダー、２１…本体、２１ｄ…被案内部、２２…ラックギヤ、２８…カム面、２９ｃ…案内部、３１…ロックプレート、３４…バネ部材、３５…スライドプレート、３５ａ…被押圧部、３５ｂ…ロック解除部、３５ｃ…押圧部、３９…リンク部材、３９ｄ…摺動ピン、４１…イジェクトレバー、５３…ガイド部、５４…センターリング部、６２…ディスク駆動ユニット、６３…ピックアップベース、６４…光ピックアップ、６５…スピンドルモーター、６６…ディスクテーブル、１００…ディスク状記録媒体
【図１】
2011060343.tif 000003
【図２】
2011060343.tif 000004
【図３】
2011060343.tif 000005
【図４】
2011060343.tif 000006
【図５】
2011060343.tif 000007
【図６】
2011060343.tif 000008
【図７】
2011060343.tif 000009
【図８】
2011060343.tif 000010
【図９】
2011060343.tif 000011
【図１０】
2011060343.tif 000012
【図１１】
2011060343.tif 000013
【図１２】
2011060343.tif 000014
【図１３】
2011060343.tif 000015
【図１４】
2011060343.tif 000016
【図１５】
2011060343.tif 000017
【図１６】
2011060343.tif 000018
【図１７】
2011060343.tif 000019
【図１８】
2011060343.tif 000020
【図１９】
2011060343.tif 000021
【図２０】
2011060343.tif 000022
【図２１】
2011060343.tif 000023
【図２２】
2011060343.tif 000024
【図２３】
2011060343.tif 000025
【図２４】
2011060343.tif 000026
【図２５】
2011060343.tif 000027
【図２６】
2011060343.tif 000028
【図２７】
2011060343.tif 000029
【図２８】
2011060343.tif 000030
【図２９】
2011060343.tif 000031
【図３０】
2011060343.tif 000032
【図３１】
2011060343.tif 000033
【図３２】
2011060343.tif 000034
【図３３】
2011060343.tif 000035
【図３４】
2011060343.tif 000036
【図３５】
2011060343.tif 000037
【図３６】
2011060343.tif 000038
【図３７】
2011060343.tif 000039